(57)【要約】【課題】  撮像装置等に使用される、コンバータレンズは撮像装置に着脱して使用するため、着脱時や取り外した状態で落下させてしまうといった事が起き、コンバータレンズ、特に硝子への衝撃が掛かる事があった。  本発明は、コンバータレンズに衝撃が加わった際にその衝撃から、特に硝子部分を衝撃から保護する構造を持ったコンバータレンズを提供することを目的とする。【解決手段】  前記目的を達成するために、本発明によるコンバータレンズは、少なくとも１つのレンズと前記レンズを固定する鏡筒部から構成されるコンバータレンズであって、前記鏡筒部はその前面に、レンズを保持するレンズ保持部と、更にその外側に周囲を構成する周辺部を有し、前記レンズ保持部は前記周辺部よりも光軸方向の最前側に突出するように構成した。【選択図】  図４
2016122069.tif 000002
【特許請求の範囲】
【請求項１】
少なくとも１つのレンズと前記レンズを固定する鏡筒部から構成されるコンバータレンズであって、前記鏡筒部はその前面に、レンズを保持するレンズ保持部と、更にその外側に周囲を構成する周辺部を有し、前記レンズ保持部は前記周辺部よりも光軸方向の最前側に突出していることを特徴とするコンバータレンズ。
【請求項２】
前記鏡筒部は樹脂製であって、前記レンズ保持部は前記樹脂製の鏡筒部と一体的に成形されることを特徴とする請求項１に記載のコンバータレンズ。
【請求項３】
前記レンズの形状は凹形状であることを特徴とする請求項１または２に記載のコンバータレンズ。
【請求項４】
請求項１から３のいずれか１項に記載のコンバータレンズが装着可能な撮像装置。
【発明の詳細な説明】
【技術分野】
【０００１】
本発明は、コンバータレンズの鏡筒構造、及びコンバータレンズが装着可能な撮像装置に関するものである。
【背景技術】
【０００２】
撮像装置に使用される、コンバータレンズは撮像装置の高画質化、広角化に伴いレンズの径が大きく、重量が増える傾向にある。
【０００３】
コンバータレンズは撮像装置に着脱して使用するため、着脱時や取り外した状態で落下させてしまうといった事が起きる。その様な場合でも衝撃などからコンバータレンズ、特に硝子部分を保護することに対する要望は高まっている。
【０００４】
光学系にキズが発生することを防止できる光学系保持枠及び光学機器を提供する為に光学系前端と光学系保持部よりも前側に受け部分を設けたものが知られている。（特許文献１参照）
【０００５】
また、図５は従来のコンバータレンズを示す図であり、１００はコンバータレンズ、１０１は鏡筒部、Ｌ１０１は第一レンズ、１０２は銘版シールで、後述する第二レンズＬ１０２から構成される。図６は図５のコンバータレンズの銘版シール１０２を外した状態を示す図である。
【０００６】
図７は従来のコンバータレンズの銘版シール１０２を外した状態の正面図、図８は図７のＢの位置の断面を示す図である。
【０００７】
図８において、１３１はＬ１０１の保持部、１３２はＬ１０２の保持部である。
【０００８】
コンバータレンズ１００は鏡筒部１０１のＬ１０１側から、先ずＬ１０２レンズを挿入しＬ１０２レンズ保持部１３２を熱カシメで鏡筒部１０１にＬ１０２を固定する。
【０００９】
次にＬ１０１を同様に鏡筒部１０１に挿入しＬ１０１保持部１３１で鏡筒部１０１にＬ１０１を固定して構成され、銘版シール１０２を鏡筒部１０１に貼り付ける。
【００１０】
レンズ保持部１３１、１３２は各々レンズＬ１０１、Ｌ１０２を挿入後に熱カシメにて固定している。
【先行技術文献】
【特許文献】
【００１１】
【特許文献１】特開２００８−１５８３３３号公報
【発明の概要】
【発明が解決しようとする課題】
【００１２】
ところで、Ｌ１０１保持部１３１は鏡筒部１０１より寸法ｂ内側に構成される。
【００１３】
Ｌ１０１が図８の紙面下方を下に置く際などにＬ１０１が触れない様に取った空間である。Ｌ１０１側からの落下で衝撃が加わった際、特にＬ１０１の重量が大きい場合にｂ部の隙間により、レンズ保持部１３１が変形又は破断を起こし、鏡筒部１０１に対して位置ずれが発生してしまうことがある。
【００１４】
このように、光学系の硝子先端、受け部より前部分に受け部を設けたもので、光軸方向の落下衝撃時には硝子が移動してしまうという問題があった。
【００１５】
本発明は、コンバータレンズに衝撃が加わった際にその衝撃から、特に硝子部分を衝撃から保護する構造を持ったコンバータレンズを提供することを目的とする。
【課題を解決するための手段】
【００１６】
前記目的を達成するために、本発明によるコンバータレンズは、少なくとも１つのレンズと前記レンズを固定する鏡筒部から構成されるコンバータレンズであって、前記鏡筒部はその前面に、レンズを保持するレンズ保持部と、更にその外側に周囲を構成する周辺部を有し、前記レンズ保持部は前記周辺部よりも光軸方向の最前側に突出するように構成した。
【発明の効果】
【００１７】
上記のように構成することで、
レンズ保持部の変形等を防止し光学系を確実に保持でき、従来のコンバータレンズより衝撃に対する信頼性を向上することができる。
【図面の簡単な説明】
【００１８】
【図１】第１の実施形態のコンバータレンズを示す図
【図２】第１の実施形態のコンバータレンズの銘版を外した状態を示す図
【図３】第１の実施形態のコンバータレンズの正面図
【図４】第１の実施形態のコンバータレンズの断面を示す図
【図５】従来のコンバータレンズを示す図
【図６】従来のコンバータレンズの銘版を外した状態を示す図
【図７】従来のコンバータレンズの正面図
【図８】従来のコンバータレンズの断面を示す図
【発明を実施するための形態】
【００１９】
（第１の実施形態）
本実施形態はデジタルカメラやビデオカメラに装着可能なコンバータレンズを例に構造を説明する。
【００２０】
図１は本実施形態のコンバータレンズを示す図であり、１０はコンバータレンズ、１１はレンズを固定する鏡筒部、Ｌ１は第一レンズ、１２は銘版シールである。また、後述する第二レンズＬ２から構成される。このようにレンズ構成は少なくとも１つあれば複数で構成されていても良い。
【００２１】
図２は図１のコンバータレンズの銘版シール１２を外した状態を示す図である。
【００２２】
図３は本実施形態のコンバータレンズの銘版シールを外した状態の正面図、図４は図３のＡの位置の断面を示す図である。
【００２３】
図４において、４１はＬ１のレンズ保持部、４２はＬ２のレンズ保持部である。また、本実施形態において、鏡筒部１１は樹脂製であり、Ｌ１レンズ保持部４１とＬ２レンズ保持部４２は鏡筒部１１と一体的に成形されている。
【００２４】
コンバータレンズ１０は鏡筒部１１のＬ１側から、先ず第二レンズＬ２を挿入する。
Ｌ２挿入後、Ｌ２レンズ保持部４２を熱カシメにてＬ２を鏡筒部１１に固定する。
【００２５】
同様にＬ１を鏡筒部１１に挿入し、Ｌ１レンズ保持部４１を熱カシメにてＬ１を鏡筒部１１に固定する。
【００２６】
鏡筒部１１にＬ１、Ｌ２を固定の後、銘版シール１２を鏡筒部１１に貼り付ける。
【００２７】
鏡筒部１１の前面（光軸方向であって撮像装置に装着した際の被写体側にあたる）は、Ｌ１レンズ保持部４１とその外側にレンズの周囲を構成している周辺部４４からなる。
【００２８】
銘版シール１２が貼られる部分は本実施形態ではＬ１レンズ保持部４１と周辺部４４の間にあたる。
【００２９】
また、Ｌ１レンズ保持部４１は鏡筒部１１の周辺部４４の先端に対し、光軸方向の最前側に寸法ａ突出させて構成する。
【００３０】
更に、Ｌ１はその第一面４３は凹面で構成した凹形状のレンズである。
【００３１】
この様に構成することで、Ｌ１側を下向きとした落下時にＬ１レンズ保持部４１が床面とＬ１との間に挟まれる様な状態となることで、Ｌ１レンズ保持部のたおれや破断を防止し、Ｌ１を確実に保持することが可能となる。
【００３２】
更に、同時にＬ１が図４の紙面下方側を下に置く際などにもＬ１が触れない様に構成できる。
【００３３】
また、レンズ枚数が１枚又は２枚を超える構成の場合も同様に鏡筒部１１に各レンズを固定した後に銘版シール１２を鏡筒部１１に貼り付ける事で同様に構成することができる。
【００３４】
更に、Ｌ１の第一面４３はＬ１レンズ保持部の寸法を調整することで曲率の大きい凸面とすることも可能である。
【００３５】
この様に、コンバータレンズの光学系のレンズ保持部を最前側に構成し、落下等の際に床面と最初に接触する様にし、光学系と床面の間に保持部が挟み込まれるように構成する。これにより、レンズ保持部の変形等を防止し、光学系を確実に保持でき、従来のコンバータレンズより衝撃に対する信頼性を向上することができる。
【符号の説明】
【００３６】
１０  コンバータレンズ
１１  鏡筒部
１２  銘版シール
４１  Ｌ１レンズ保持部
４２  Ｌ２レンズ保持部
４３  Ｌ１の第一面
１００  コンバータレンズ
１０１  鏡筒部
１０２  銘版シール
１３１  Ｌ１０１レンズ保持部
１３２  Ｌ１０２レンズ保持部
Ｌ１  第一レンズ
Ｌ２  第二レンズ
Ｌ１０１  第一レンズ
Ｌ１０２  第二レンズ
【図１】
2016122069.tif 000003
【図２】
2016122069.tif 000004
【図３】
2016122069.tif 000005
【図４】
2016122069.tif 000006
【図５】
2016122069.tif 000007
【図６】
2016122069.tif 000008
【図７】
2016122069.tif 000009
【図８】
2016122069.tif 000010